(57)【要約】【課題】空気調和機に使用されているエンドレスの記憶媒体において常時運転状態を記憶し記憶容量が一杯になると、もとに戻って新しい運転状態を記憶するため異常が発生しても時間が経過すると異常状態が消えていた。【解決手段】リモコン１０３に非接触型ＩＣカード２のデータを読込みまたは書込むことができる非接触型送受信ユニット１を備え、異常のデータを非接触型ＩＣカード２がリモコン１０３に近づけたときのみ読込みまたは書込むため上書きされることがない記憶媒体が得られる。【選択図】図２
2006284047.tif 000002
【特許請求の範囲】
【請求項１】
空気調和機において、リモコンを備え、前記リモコンに非接触型ＩＣカードへデータの書込みと読込みができる非接触型送受信ユニットを設けた空気調和機。
【請求項２】
空気調和機において、前記非接触型送受信ユニットにはリモコン内のマイコンと通信手段により通信し、空気調和機の異常が発生したとき、異常コードや異常履歴を非接触型ＩＣカードへ非接触型送受信ユニットにより、前記非接触型ＩＣカード内のメモリに書込むことができることを特徴とした請求項１記載の空気調和機。
【請求項３】
空気調和機において、前記非接触型送受信ユニットを設け、リモコンは接続線により室内機と接続されており、リモコンや室内機が記憶している運転モードや設定温度を非接触型送受信ユニットにより非接触型ＩＣカードにデータを書込み、そのＩＣカードを他室の空気調和機のリモコンに近けると、非接触型送受信ユニットにより非接触型ＩＣカード内のデータを読込み、前記読込んだデータ通りの条件で運転することができることを特徴とした請求項１または２記載の空気調和機。
【請求項４】
空気調和機において、前記非接触型送受信ユニットを設け、前記送受信ユニット手段はリモコン内のマイコンと通信手段により接続されており、前記リモコン内のマイコンは、室内機へデータを送信するためのリモコン送信手段に接続され、前記リモコン送信手段は電線により室内機の室内機受信手段に接続され、前記室内機受信手段は室内機マイコンと接続されており、室内機マイコンは非接触型ＩＣカードのデータを取込むことができ、また、室内機には温度検出手段を備え、前記温度検出手段が検出した室内温度と実際の室内温度に差が有るとき、シュミレーションや実測定により運転モードによる個々の温度差を非接触型ＩＣカードへ事前に書込んでおき、リモコンから前記非接触型送受信ユニットで読込み、室内機のマイコンは温度検出手段で検出した温度にＩＣカードから読込んだ温度差を計算し、その計算した温度を室内の真の温度として制御することができることを特徴とした請求項１記載の空気調和機。
【請求項５】
空気調和機において、前記非接触型送受信ユニットを設け、前記非接触型送受信ユニットは、リモコン内のマイコンと通信手段により接続されており、前記マイコンは、不揮発性メモリ手段と接続されており、前記非接触型送受信ユニットが非接触型ＩＣカード内に記憶されている制御ソフトを読込み、マイコンを介しリモコン内の不揮発性メモリ手段に格納され、リモコン内のマイコンは、不揮発性メモリ手段に格納された制御ソフトにしたがってリモコンを制御することを特徴とした請求項１記載の空気調和機。
【請求項６】
空気調和機において、前記非接触型送受信ユニットを設け、前記非接触型送受信ユニットは、リモコン内のマイコンと通信手段により接続されており、前記マイコンは、室内機へデータを送信するためのリモコン送信手段に接続され、前記リモコン送信手段は電線により室内機の室内機受信手段に接続され、前記室内機受信手段は、室内機マイコンと接続されており、さらに室内機マイコンは不揮発性のメモリ手段と接続されており、リモコンに設けた、前記非接触型送受信ユニットが非接触型ＩＣカード内に記憶されている制御ソフトを読込み、前記リモコン内のマイコンはリモコン送信手段を介し、室内機に対し前記制御ソフトを送信し、室内機マイコンは室内機受信手段を介し制御ソフトを受信すると共に、前記制御ソフトを不揮発性メモリ手段へ格納され、室内機のマイコンは、不揮発性メモリ手段に格納された制御ソフトにしたがって室内機を制御することを特徴とした請求項１記載の空気調和機。
【請求項７】
空気調和機において、前記非接触型送受信ユニットを設け、非接触型送受信ユニットは、リモコン内のマイコンと通信手段により接続されておりリモコン内のマイコンは、室内機データを送信するためのリモコン送信手段に接続され、前記リモコン送信手段は電線により室内機の室内機受信手段に接続さている。前記室内機受信手段は室内機マイコンと接続されており、また、室内機マイコンは室外機データを送信するための室内機送信手段に接続され、電線を介して、室外機の室外機受信手段に接続されており、前記室外機受信手段は、室外機マイコンと接続され、さらに、前記室外機マイコンは、不揮発性のメモリ手段に接続され、非接触型送受信ユニットが非接触型ＩＣカード内に記憶されている制御ソフトを読込み、前記リモコン内のマイコンはリモコン送信手段を介し、室内機に対し前記制御ソフトを送信し、室内機のマイコンは、室内機受信手段を介し制御ソフトを受信すると、室内機送信手段を介して室外機に制御ソフトを送信され、送信された前記制御ソフトは室外機の室外機受信手段を介して室外機マイコンが受信し、前記制御ソフトを不揮発性メモリ手段に格納され、室外機のマイコンは、不揮発性メモリ手段に格納された制御ソフトにしたがって室外機を制御することを特徴とした請求項１記載の空気調和機。
【請求項８】
空気調和機において、前記非接触型送受信ユニットを設け、前記非接触型送受信ユニットには、リモコン内のマイコンと通信手段により接続され、さらにマイコンは、リモコン内部に設けたアドレス設定手段にも接続されており、非接触型ＩＣカードには、事前に固有のアドレスを書込んでおき、室内に入るときリモコンに非接触型ＩＣカードを近づけると非接触型送受信ユニットで前記非接触型ＩＣカード内のアドレス値を読込み、マイコンは、ＩＣカード内のアドレス値とリモコン内部に設けたアドレス設定手段の値が同一と判断したときリモコンの操作ができることを特徴とした空気調和機。
【請求項９】
空気調和機において、前記、非接触型送受信ユニットを設け、非接触型送受信ユニットには、リモコン内のマイコンと通信手段により接続され、さらにマイコンは、リモコン内部に設けたアドレス設定手段にも接続されており、室内に入るときはリモコンに非接触型ＩＣカードを近づけると前記非接触型送受信ユニットにより非接触型ＩＣカード内のメモリを読込み、入室信号を書込む、さらに室外に出るときはリモコンに非接触型ＩＣカードを近づけると前記非接触型送受信ユニットにより非接触型ＩＣカード内のメモリを読込み、退室信号を書込む、マイコンは読込んだ入室信号または退室信号により空気調和機の能力を変更することができることを特徴とした請求項８記載の空気調和機。
【請求項１０】
空気調和機において、リモコンに非接触型ＩＣカードへデータを書込みと読込みができる非接触型送受信ユニットが接続できる接続部を設けた空気調和機。
【発明の詳細な説明】
【技術分野】
【０００１】
本発明は、空気調和機のリモコンに使用される非接触型ＩＣカードの内容を読み込むまたはデータを書込むことができるユニットを設け、リモコンにＩＣカードを近づけることにより、データのやり取りを行うシステムに関する。
【背景技術】
【０００２】
従来、この種の空気調和機は、運転状態をエンドレスの記憶媒体が組込みこまれているものが知られている（例えば、特許文献１参照）。
【０００３】
以下、その空気調和機について図１１を参照しながら説明する。
【０００４】
図に示すように、室外機１０１と室内機１０２は室内外接続線１０５により接続され、さらに、室内機１０２はリモコン接続線１０６によりリモコン１０３に接続され、リモコン内部には、エンドレスの記憶媒体１０４が設けられており、運転状態を記憶媒体に常時記録し、記憶容量が一杯になると、もとに戻って新しい運転状況を記憶し、正規の状態で運転されているか判断が行え、空気調和機が万一故障しても記憶媒体の分析により、原因究明が可能としている。
【特許文献１】特開昭６２−２３８９３４号公報
【発明の開示】
【発明が解決しようとする課題】
【０００５】
このような従来の空気調和機では、機器内部に記憶媒体が設けられており、運転状態を常時記憶しているため、記憶媒体の寿命が短くなると言う課題があり、長寿命化にするとことが要求されている。
【０００６】
本発明は、このような従来の課題を解決するものであり、非接触型のＩＣカードを使用し、必要なときに必要なデータをＩＣカードに読み書きすることにより記憶媒体の長寿命化ができる空気調和機を提供することを目的としている。
【０００７】
また、従来の空気調和機では、常に運転状態を記録しているため、長時間経過すると上書きされてしまい、記録データが消えてしまい、さらに、万一故障した場合も、どの時点で故障したか分析が難しく、分析時間が長期化してしまう課題がある。
【０００８】
本発明は、このような従来の課題を解決するものであり、常時運転状態を記録するのでなく、故障が発生したときのみ異常コードや異常履歴をＩＣカードに書込み故障分析の時間短縮ができる空気調和機を提供することを目的としている。
【０００９】
また、従来の空気調和機では、空気調和機の設置してある一定の部屋のみ常時運転状況を記憶媒体に記憶しており、他室に人が移動した場合には、再度その部屋のリモコンを設定しなおさなければならないという課題があり、同一の設定にすることが手間であり常時運転状況のデータ生かされていなかった。
【００１０】
本発明は、このような従来の課題を解決するものであり、ＩＣカードにリモコンの設定条件を記憶させ、そのＩＣカードを他室のリモコンに近づけことで、その部屋の設定も同一条件で運転可能なデータ転用可能となる空気調和機を提供することを目的としている。
【００１１】
また、従来の空気調和機では、部屋の大きさや家の向き、空気調和機の取付け位置により、実際の室内温度と空気調和機の検出する室内温度に差が生じ、温度検出精度の向上が要求さている。
【００１２】
本発明は、このような従来の課題を解決するものであり、実測した温度差やシュミレーションによる温度差を事前にＩＣカードに記憶し、リモコンに近づけるとその温度差を考慮して動作し快適環境を簡単に創り出す空気調和機を提供することを目的としている。
【００１３】
また、従来の空気調和機では、リモコンのソフトウエアーに不具合が発生すると、リモコンを交換をしなければならず、交換したリモコンを処分するなど無駄な費用が発生していた。
【００１４】
本発明は、このような従来の課題を解決するものであり、ＩＣカードへ事前にリモコンのソフトウェアーを書込んでおき、リモコンにＩＣカードを近づけるとＩＣカードのソフトウェアーを読込み、そのソフトウェアーの通り動作することによりリモコンの交換による廃却費用が発生しない空気調和機を提供することを目的としている。
【００１５】
また、従来の空気調和機では、室内機のソフトウェアーに不具合が発生すると、室内機を分解し、室内機に入っている基板を交換しなければならず多くの時間が発生するという課題があり、修理時間の削減ができる空気調和機が要求されている。
【００１６】
本発明は、このような従来の課題を解決するものであり、ＩＣカードへ事前に室内機のソフトウェアーを書込んでおき、リモコンにＩＣカードを近づけるとＩＣカードのソフトウェアーを読込みそのソフトウェアーを室内機に転送し、室内機は、そのソフトウェアー通り動作することができ容易にソフトウェアーの書換えができ修理時間の短縮ができる空気調和機を提供することを目的としている。
【００１７】
また、従来の空気調和機では、室外機のソフトウェアーに不具合が発生すると、室外機を分解し、室外機に入っている基板を交換しなければならず雨天の場合は、作業できないという課題があり、容易にソフトウェアーの書換えができる空気調和機が要求されている。
【００１８】
本発明は、このような従来の課題を解決するものであり、ＩＣカードへ事前に室外機のソフトウェアーを書込んでおき、リモコンにＩＣカードを近づけるとＩＣカードのソフトウェアーを読込みそのソフトウェアーを室内機に転送され、さらに室外機に転送し、室外機はそのソフトウェアー通り動作することにより天候に左右されずソフトウェアーの書換えができる空気調和機を提供することを目的としている。
【００１９】
また、従来の空気調和機では、子供でも自由に設定温度や運転停止の変更ができ、設定温度を極端な温度に設定してしまうことや、運転したことを知らないまま長時間放置したり、不経済であり、スイッチをロックする機能が要求されている。
【００２０】
本発明は、このような従来の課題を解決するものであり、リモコンにＩＣカードを近づけるとＩＣカードのアドレスを読込み、リモコン本体のアドレスが同一の場合は、操作スイッチが操作可能となり安全で経済的は空気調和機を提供することを目的としている。
【００２１】
また、従来の空気調和機では、居住空間に人が不在にもかかわらず、リモコンの設定温度で運転継続しつづけるという課題があり、省エネすることが要求されている。
【００２２】
本発明は、このような従来の課題を解決するものであり、退室するときはリモコンにＩＣカードを近づけると、リモコン設定温度を下げ、入室するときは、リモコンにＩＣカードを近づけると、リモコンの設定温度に戻し運転する省エネ効果のある空気調和機を提供することを目的としている。
【００２３】
また、従来の空気調和機では、機器内に記憶媒体や記録ユニットが搭載されているため商品自体の価格アップという課題があり、低コスト商品が要求されている。
【００２４】
本発明は、このような従来の課題を解決するものであり、リモコンにＩＣカードの送受信ユニットの接続口を設け必要に応じて非接触型送受信ユニットを接続することができコストダウンできる空気調和機を提供することを目的としている。
【課題を解決するための手段】
【００２５】
本発明の空気調和機は上記目的を達成するために、リモコンに非接触型ＩＣカードへデータの読込みと書込みができる非接触型送受信ユニットを設ける。
【００２６】
この手段により、必要なときに、必要なデータを読込みまたは書込みすることができ、記憶媒体の長寿命化が可能となる空気調和機が得られる。
【００２７】
また、本発明の空気調和機は上記目的を達成するため、常時運転状況を記録するのではなく異常が発生した時点の異常コードや異常履歴を非接触型ＩＣカードをリモコンに近づけたときに書込むことができるものである。
【００２８】
これにより、データの上書きすることなく、異常時の分析時間が短縮できる空気調和機が得られる。
【００２９】
また、本発明の空気調和機は上記目的を達成するため、現在の室内環境の設定条件を非接触型ＩＣカードに書込み、他室で前記非接触型ＩＣカードのデータを読込み、読込んだ設定条件により運転するものである。
【００３０】
これにより、前室と同一環境・同一条件で運転することができる空気調和機が得られる。
【００３１】
また、本発明の空気調和機は上記目的を達成するため、あらかじめ測定しておいた実際の温度またはシュミレーションによる温度と空気調和機の検出温度差を事前に非接触型ＩＣカードに記憶しておき、前記ＩＣカードのデータを読込みその温度差を考慮して空気調和機を運転するものである。
【００３２】
これにより、実際の温度と差が無くなり快適環境を創りだすことができる空気調和機が得られる。
【００３３】
また、本発明の空気調和機は上記目的を達成するため、リモコンのソフトウェアーによる不具合が発生したとき、非接触型ＩＣカードに対策済みのソフトウェアーを事前書込んでおき、リモコンに設けた非接触型送受信ユニットが非接触型ＩＣカードからソフトウェアーを読込み、読込んだソフトウェアーで動作するものである。
【００３４】
これにより、リモコンを再利用することができる空気調和機が得られる。
【００３５】
また、本発明の空気調和機は上記目的を達成するため、室内機のソフトウェアーによる不具合が発生したとき、非接触型ＩＣカードに対策済みのソフトウェアーを事前書込んでおき、リモコンに設けた非接触型送受信ユニットが非接触型ＩＣカードからソフトウェアーを読込み、リモコンは読込んだソフトウェアーを室内機に送信し、室内機は、受信したソフトウェアーで動作するものである。
【００３６】
これにより、室内機を解体することなく短時間でソフトウェアーを変更することができる空気調和機が得られる。
【００３７】
また、本発明の空気調和機は上記目的を達成するため、室外機のソフトウェアーによる不具合が発生したとき、非接触型ＩＣカードに対策済みのソフトウェアーを事前書込んでおき、リモコンに設けた非接触型送受信ユニットが非接触型ＩＣカードからソフトウェアーを読込み、リモコンは読込んだソフトウェアーを室内機に送信し、室内機は、受信したソフトウェアーをさらに室外機に送信し、室外機は、受信したソフトウェアーで動作するものである。
【００３８】
これにより、室外機は天候に左右されることなくソフトウェアーを変更することができる空気調和機が得られる。
【００３９】
また、本発明の空気調和機は上記目的を達成するため、事前にリモコンに設けたアドレス設定スイッチで設定したアドレス値を非接触型送受信ユニットにより、非接触型ＩＣカードにアドレス値を書込んでおき、リモコンに非接触型ＩＣカードを近づけるとデータを読込みと書込みができる非接触型送受信ユニットが非接触型ＩＣカードのアドレスを読込み、リモコン内にあるアドレス設定スイッチと同一アドレス値であれば、操作スイッチが操作可能になるものである。
【００４０】
これにより、いたずらなどによる設定変更や不必要な運転などを防止できる空気調和機が得られる。
【００４１】
また、本発明の空気調和機は上記目的を達成するため、リモコンに設けた非接触型送受信ユニットが非接触型ＩＣカードのデータが入室か退室かを読込み退室であれば、リモコン設定温度を下げ、入室であればリモコンの設定温度に戻して運転することができるものである。
【００４２】
この手段により、省エネ効果のある空気調和機が得られる。
【００４３】
また、本発明の空気調和機は上記目的を達成するため、データを読込みと書込みができる非接触型送受信ユニットが接続できるように接続口を設け、必要に応じて接続することができるものである。
【００４４】
この手段により、商品のコストダウンを行うことができる空気調和機が得られる。
【発明の効果】
【００４５】
本発明によれば常時記憶媒体に運転状態を記憶するのではなく、必要なときに記憶するため、記憶媒体の高寿命化が得られる効果のある空気調和機を提供できる。
【００４６】
また、本発明によれば長時間経過すると記録データが上書きされることなく、異常分析も短時間で分析できる空気調和機を提供できる。
【００４７】
また、本発明によれば現在のリモコン設定条件を非接触型のＩＣカードに記憶しておき、他室に行った場合も非接触型のＩＣカードをリモコンに近づけるだけで同一も設定条件で運転を行う効果のある空気調和機を提供できる。
【００４８】
また、本発明によれば部屋の大きさ、家の向き、空気調和機の位置に関係なく設定温度通りの運転ができる効果のある空気調和機を提供できる。
【００４９】
また、本発明によればリモコンのソフトウェアーが不具合を発生したとき、不具合の発生したリモコンを廃却することなく再利用することができる効果のある空気調和機を提供できる。
【００５０】
また、本発明によれば室内機のソフトウェアーが不具合を発生したとき、不具合の発生した室内機を解体し基板することなく短時間でソフトウェアーの変更ができるという効果のある空気調和機を提供できる。
【００５１】
また、本発明によれば室外機のソフトウェアーが不具合を発生したとき、雨天等の天候に左右されることなく不具合の発生した室外機のソフトウェアーを変更ができるという効果のある空気調和機を提供できる。
【００５２】
また、本発明によればリモコンに設けてあるアドレス設定手段と非接触型のＩＣカードに書込んであるアドレスが一致したときのみリモコンの操作スイッチが操作でき子供たちのいたずらなどによる誤操作を防止できる効果のある空気調和機を提供できる。
【００５３】
また、本発明によれば不在の部屋に対して、設定温度を自動的に下げて運転することにより、省エネ効果がある空気調和機を提供できる。
【００５４】
また、本発明によれば非接触型ＩＣカードの送受信ユニットを取外し出来るように接続口を設けることのより、商品のコストダウンができる効果のある空気調和機を提供できる。
【発明を実施するための最良の形態】
【００５５】
以下、本発明の実施の形態について図面を参照しながら説明する。
【００５６】
（実施の形態１）
図１に示すように、室外機１０１と室内機１０２とリモコン１０３からなる空気調和機に非接触型ＩＣカード２に書込みと読込みができる非接触型送受信ユニット１をリモコン１０３に備える。
【００５７】
上記構成において、非接触型ＩＣカード２からデータを取込むまたは書込むときは、リモコン１０３に近づけデータのやり取りを行うこととなり、常時データを記録しないため、記録媒体の寿命が格段と長寿命化することとなる。
【００５８】
（実施の形態２）
図２に示すように、非接触型ＩＣカード２にデータを取込むまたは書込みができる非接触型送受信ユニット１をリモコン１０３に備え、非接触型送受信ユニット１は通信手段３を介しリモコン内部のマイコン４に接続されており、さらにマイコン４は、異常コードや異常履歴を記憶しておくメモリ５に接続されている。
【００５９】
上記構成において、マイコン４は空気調和機の異常が発生したとき、異常コードや異常発生時間などをメモリ５に書込んでおき、非接触型ＩＣカード２をリモコン１０３に近づけたとき、非接触型送受信ユニット１より非接触型ＩＣカード２に異常コードや異常履歴などのメモリ５内部のデータを書込むことにより、非接触型ＩＣカード２を持ち帰り非接触型ＩＣカード２内のデータを解析することにより異常発生の原因究明を短時間で行うことができる。通信手段３としては、非接触型送受信ユニット１とリモコン１０３のマイコン間が通信できれば良く、例えばトランジスター、ホトカプラーやＯＰアンプ等がある。
【００６０】
（実施の形態３）
図３に示すように、居住空間Ａ６に非接触型ＩＣカード２へデータを取込むまたは書込みができる非接触型送受信ユニット１ａをリモコン１０３ａに備え、居住空間Ｂ７は非接触型ＩＣカード２にデータを取込むまたは書込みができる非接触型送受信ユニット１ｂをリモコン１０３ｂに設ける。
【００６１】
上記構成において、居住空間Ａ６のリモコン１０３ａに非接触型ＩＣカード２を近づけると、非接触型送受信ユニット１ａから非接触型ＩＣカード２に設定温度・運転モード・風量など書込み、データが書込まれた非接触型ＩＣカード２を他の居住空間Ｂ７のリモコン１０３ｂに近づけると非接触型送受信ユニット１ｂは非接触型ＩＣカード２のデータを読込み、リモコン１０３ｂは、そのデータに応じた運転条件に変更する。
【００６２】
（実施の形態４）
図４に示すように、非接触型ＩＣカード２にデータを取込むまたは書込みができる非接触型送受信ユニット１をリモコン１０３に備え、非接触型送受信ユニット１は通信手段３を介しリモコン１０３内部のリモコンマイコン４に接続されており、さらにリモコンマイコン４は、室内機１０２にデータを送信するためのリモコン送信手段８に接続されており、リモコン送信手段８はリモコン接続線１０６を介して室内機１０２の室内機受信手段９と接続されており、室内機受信手段９は、室内機マイコン１０に接続されており、さらに室内機マイコン１０は温度検出手段１１に接続されている。
【００６３】
上記構成において、居住空間の温度は家の大きさ、家の方向、窓の大きさ、家の性能、空気調和機の取り付け位置などの条件により、個々に異なり室内機１０２が温度検出手段１１で検出した値と実際との温度に温度差があり、事前に実測またはシュミレーションにより温度差を非接触型ＩＣカード２に書込んでおき、リモコン１０３に前記非接触型ＩＣカード２を近づけると非接触型送受信ユニット１が非接触型ＩＣカード２の温度差データを読込み通信手段３によりリモコンマイコン４に転送される。転送された温度差データは、リモコン送信手段８に送られリモコン接続線１０６を介して、室内機１０２の室内機受信手段９で受信され、受信された温度差データは、室内機マイコン１０に送られ、室内機マイコン１０は、運転時などに使用する室内温度を温度検出手段１１で検出するが、温度検出手段１１で検出した温度に対して温度差データの値を加え、その値を真の室内温度として使用する。通信手段３としては、非接触型送受信ユニット１とリモコン１０３のマイコン間が通信できれば良く、例えばトランジスター、ホトカプラーやＯＰアンプ等がある。リモコン送信手段８としては、室内機１０２に信号を送信できればよく、たとえば、トランジスター、ホトカプラー、ＯＰアンプ、コンパレーターやリレー等がある。また、室内機受信手段９としては、リモコンからの通信を受信できれば良く、トランジスター、ホトカプラー、ＯＰアンプ、コンパレーターやリレー等がある。また、温度検出手段１１としては、温度を測定できれば良くサーミスター、バイメタル等がある。
【００６４】
（実施の形態５）
図５に示すように、非接触型ＩＣカード２にデータを取込むまたは書込みができる非接触型送受信ユニット１をリモコン１０３に備え、非接触型送受信ユニット１は通信手段３を介しリモコン１０３内部のリモコンマイコン４に接続されており、さらにリモコンマイコン４は、リモコン不揮発性メモリ手段１２に接続されている。
【００６５】
上記構成において、リモコン１０３のソフトウェアーに不具合がある場合、事前に修正したソフトウェアーを非接触型ＩＣカード２に書込んでおき、非接触型ＩＣカード２をリモコン１０３に近づけると、非接触型送受信ユニット１が非接触型ＩＣカード２のソフトウェアーを読込み通信手段３を介してリモコンマイコン４に転送され、転送されたソフトウェアーは、リモコン不揮発性メモリ手段１２に送られ保存され、リモコンマイコン４はリモコン不揮発性メモリ手段１２に記憶されたソフトウェアーに従ってリモコン１０３を制御する。リモコン不揮発性メモリ手段１２としては、ソフトウェアーを記憶させるだけで良く、ＲＡＭやＥＥＰＲＯＭでも良いが、ＳＤカード、メモリースティク、コンパクトフラッシュ（登録商標）やスマードメディア等でも同じ効果が得られる。
【００６６】
なお、本実施例では、１回の書込みのみ説明したが、２回目以降も同様にリモコン不揮発性メモリ手段１２に修正ソフトウェアーを上書きし、同様の効果が得られる。
【００６７】
（実施の形態６）
図６に示すように、非接触型ＩＣカード２にデータを取込むまたは書込みができる非接触型送受信ユニット１をリモコン１０３に備え、非接触型送受信ユニット１は通信手段３を介しリモコン１０３内部のリモコンマイコン４に接続されており、さらにリモコンマイコン４は、室内機１０２にデータを送信するためのリモコン送信手段８に接続されており、リモコン送信手段８はリモコン接続線１０６を介して室内機１０２の室内機受信手段９と接続され、室内機受信手段９は、室内機マイコン１０に接続され、さらに室内機マイコン１０は室内機不揮発性メモリ手段１３に接続されている。
【００６８】
上記構成において、室内機１０２のソフトウェアーに不具合がある場合、事前に修正したソフトウェアーを非接触型ＩＣカード２に書込んでおき、非接触型ＩＣカード２をリモコン１０３に近づけると、非接触型送受信ユニット１が非接触型ＩＣカード２のソフトウェアーを読込み通信手段３により、リモコンマイコン４に転送され、転送されたソフトウェアーは、室内機に転送するため、リモコン送信手段８に送られ、さらにリモコン接続線１０６を介して室内機受信手段９でソフトウェアーを受信し、室内機マイコン１０は、受信したソフトウェアーを室内機不揮発性メモリ手段１３に保存し、室内機マイコン１０は室内機不揮発性メモリ手段１３に記憶されたソフトウェアーに従って室内機１０２を制御する。リモコン送信手段８としては、室内機１０２に信号を送信できればよく、たとえば、トランジスター、ホトカプラー、ＯＰアンプ、コンパレーターやリレー等がある。また、室内機受信手段９としては、リモコンからの通信を受信できれば良く、トランジスター、ホトカプラー、ＯＰアンプ、コンパレーターやリレー等がある。室内機不揮発性メモリ手段１３としては、ソフトウェアーを記憶させるだけで良く、ＲＡＭやＥＥＰＲＯＭでも良いが、ＳＤカード、メモリースティク、コンパクトフラッシュ（登録商標）やスマードメディア等でも同じ効果が得られる。
【００６９】
なお、本実施例では、１回の書込みのみ説明したが、２回目以降も同様に室内機不揮発性メモリ手段１３に修正ソフトウェアーを上書きし、同様の効果が得られる。
【００７０】
（実施の形態７）
図７に示すように、非接触型ＩＣカード２にデータを取込むまたは書込みができる非接触型送受信ユニット１をリモコン１０３に備え、非接触型送受信ユニット１は通信手段３を介しリモコン１０３内部のリモコンマイコン４に接続されており、さらにリモコンマイコン４は、室内機１０２にデータを送信するためのリモコン送信手段８に接続されており、リモコン送信手段８はリモコン接続線１０６を介して室内機１０２の室内機受信手段９と接続され、室内機受信手段９は、室内機マイコン１０に接続され、さらに室内機マイコン１０は室外機１０１にデータを送信するための室内機送信手段１４に接続されており、室内機送信手段１４は室内外接続線１０５を介して室外機１０１の室外機受信手段１５と接続され、室外機受信手段１５は、室外機マイコン１６に接続され、さらに室外機マイコン１６は室外機不揮発性メモリ手段１７に接続されている。
【００７１】
上記構成において、室外機１０１のソフトウェアーに不具合がある場合、事前に修正したソフトウェアーを非接触型ＩＣカード２に書込んでおき、非接触型ＩＣカード２をリモコン１０３に近づけると、非接触型送受信ユニット１が非接触型ＩＣカード２のソフトウェアーを読込み通信手段３によりリモコンマイコン４に転送される。転送されたソフトウェアーは、室内機に転送するため、リモコン送信手段８に送られ、さらにリモコン接続線１０６を介して室内機受信手段９でソフトウェアーが受信され、室内機マイコン１０は、室外機１０１にソフトウェアーを転送するため室内機送信手段１４に送られ、室外機１０１は室内外接続線１０５を介し室外機受信手段１５でソフトウェアーを受信する。受信されたソフトウェアーは、室外機マイコン１６に送られたソフトウェアーは、室外機不揮発性メモリ手段１７に保存され、室外機マイコン１６は室外機不揮発性メモリ手段１７に記憶されたソフトウェアーに従って室外機１０１を制御する。室外機不揮発性メモリ手段１７としては、ソフトウェアーを記憶させるだけで良く、ＲＡＭやＥＥＰＲＯＭでも良いが、ＳＤカード、メモリースティク、コンパクトフラッシュ（登録商標）やスマードメディア等でも同じ効果が得られる。
【００７２】
なお、本実施例では、１回の書込みのみ説明したが、２回目以降も同様に室外機不揮発性メモリ手段１７に修正ソフトウェアーを上書きし、同様の効果が得られる。
【００７３】
（実施の形態８）
図８に示すように、非接触型ＩＣカード２にデータを取込むまたは書込みができる非接触型送受信ユニット１をリモコン１０３に備え、非接触型送受信ユニット１は通信手段３を介しリモコン１０３内部のリモコンマイコン４に接続されており、さらにリモコンマイコン４はアドレス設定手段１８とアドレス決定スイッチ１９と接続されている。
【００７４】
上記構成において、アドレス設定手段１８でリモコン１０３のアドレス値を設定しておきアドレス決定スイッチ１９を押し、非接触型ＩＣカード２をリモコン１０３に近づけると、アドレス設定手段１８で設定したアドレス値をリモコンマイコン４が読込み、前記アドレス値は通信手段３を介して非接触型送受信ユニット１に送られ非接触型ＩＣカード２にアドレス値を書込む。空気調和機の設定変更する場合は、前記アドレス値が書込まれた非接触型ＩＣカード２をリモコン１０３に近づけると非接触型送受信ユニット１が非接触型ＩＣカード２に書込まれたアドレス値を読込み、通信手段３を介してリモコンマイコン４に読込まれリモコンマイコン４は、アドレス設定手段１８のアドレス値と比較し、同一アドレス値であれば、約１０秒間リモコン１０３に設けた各種設定スイッチや運転スイッチ（図示せず）を操作できる。また、アドレス値が異なる場合は、リモコン１０３の各種スイッチ操作は無効となる。アドレス設定手段１８としては、電気的に簡単に開閉が切り替えられるディップスイッチ、ロータリースイッチ等がある。
【００７５】
（実施の形態９）
図９に示すように、非接触型ＩＣカード２にデータを取込むまたは書込みができる非接触型送受信ユニット１をリモコン１０３に備え、非接触型送受信ユニット１は通信手段３を介しリモコン１０３内部のリモコンマイコン４に接続されており、さらにリモコンマイコン４は、室内機１０２にデータを送信するためのリモコン送信手段８と入退室表示手段２０に接続されており、リモコン送信手段８はリモコン接続線１０６を介して室内機１０２の室内機受信手段９と接続されて、室内機受信手段９は、室内機マイコン１０に接続されている。
【００７６】
上記構成において、居住空間を退室するときは、非接触型ＩＣカード２をリモコン１０３に近づけ、非接触型送受信ユニット１が非接触型ＩＣカード２の入退室データ（図示せず）を読込み、通信手段３を介してリモコンマイコン４に転送される。転送された入退室データの中に入室データ（図示せず）が書込まれていた場合は、リモコンマイコン４は入退室表示手段２０を退室表示（図示せず）にし、さらに通信手段３を介し、非接触型送受信ユニット１により退室データ（図示せず）を非接触型ＩＣカード２に書込む。また、リモコンマイコン４は、室内機１０２に対し設定温度を２℃下げるようにリモコン送信手段８にデータを転送し、室内機マイコン１０は、前記データをリモコン接続線１０６と室内機受信手段９を介して受信し、室内機１０２はシステム全体の能力を下げて運転する制御を行う。入室するとこは、非接触型ＩＣカード２をリモコン１０３に近づけると非接触型送受信ユニット１が非接触型ＩＣカード２の入退室データ（図示せず）を読込み、通信手段３を介してリモコンマイコン４に転送される。転送された入退室データの中に退室データ（図示せず）が書込まれていた場合は、リモコンマイコン４は入退室表示手段２０を入室表示（図示せず）にし、さらに通信手段３を介し、非接触型送受信ユニット１により入室データを非接触型ＩＣカード２に書込む。また、リモコンマイコン４は、室内機１０２に対し設定温度で運転するようにリモコン送信手段８にデータを転送する。室内機マイコン１０は前記データをリモコン接続線１０６と室内機受信手段９を介して受信し、室内機１０２はリモコン１０３の設定温度条件で運転する制御を行う。
【００７７】
なお、入退室表示手段２０としては液晶・ＬＥＤ・ランプなどを使用するが一般であるが、音声による認識でも同様の効果が得られる。
【００７８】
（実施の形態１０）
図１０に示すように、リモコン１０３に非接触型ＩＣカード２のデータを取込むまたは書込みができる非接触型送受信ユニット１が接続できるように接続部２１を設け、接続部２１は通信手段３を介してリモコンマイコン４に接続されている。
【００７９】
上記構成において、非接触型ＩＣカード２にデータを読込みまたは書込みするときは、リモコン１０３に設けた接続部２１に非接触型送受信ユニット１を接続し、非接触型送受信ユニット１に非接触型ＩＣカード２を近づけることにより、データの受け渡しを行う。接続部２１としては、非接触型ＩＣカード２と通信手段３間を電気的に接続するものであり、コネクターや端子台等がある。
【産業上の利用可能性】
【００８０】
空気調和機に取付けた非接触型ＩＣカードにデータを取込むまたは書込みができる非接触型送受信ユニットをリモコンに取付けることにより非接触型ＩＣカードのデータを読込みまたは書込むことができるリモコンを設けることは浴室暖房乾燥機や換気扇の用途にも適用できる。
【図面の簡単な説明】
【００８１】
【図１】本発明の実施の形態１の構成図
【図２】本発明の実施の形態２の構成図
【図３】本発明の実施の形態３の構成図
【図４】本発明の実施の形態４の構成図
【図５】本発明の実施の形態５の構成図
【図６】本発明の実施の形態６の構成図
【図７】本発明の実施の形態７の構成図
【図８】本発明の実施の形態８の構成図
【図９】本発明の実施の形態９の構成図
【図１０】本発明の実施の形態１０の構成図
【図１１】従来例の構成図
【符号の説明】
【００８２】
１    非接触型送受信ユニット
１ａ  非接触型送受信ユニット
１ｂ  非接触型送受信ユニット
２    非接触型ＩＣカード
３    通信手段
４    リモコンマイコン
５    メモリ
６    居住空間Ａ
７    居住空間Ｂ
８    リモコン送信手段
９    室内機受信手段
１０    室内機マイコン
１１    温度検出手段
１２    リモコン不揮発性メモリ手段
１３    室内機不揮発性メモリ手段
１４    室内機送信手段
１５    室外機受信手段
１６    室外機マイコン
１７    室外機不揮発性メモリ手段
１８    アドレス設定手段
１９    アドレス決定スイッチ
２０    入退室表示手段
２１    接続部
１０１  室外機
１０２  室内機
１０３    リモコン
１０３ａ  リモコン
１０３ｂ  リモコン
１０４  記憶媒体
１０５  室内外接続線
１０６  リモコン接続線
【図１】
2006284047.tif 000003
【図２】
2006284047.tif 000004
【図３】
2006284047.tif 000005
【図４】
2006284047.tif 000006
【図５】
2006284047.tif 000007
【図６】
2006284047.tif 000008
【図７】
2006284047.tif 000009
【図８】
2006284047.tif 000010
【図９】
2006284047.tif 000011
【図１０】
2006284047.tif 000012
【図１１】
2006284047.tif 000013